(57)【特許請求の範囲】
【請求項１】
基材と、
部材と、
該基材に沿って該部材を配置するテープ積層体と、
の組合せにおいて、該テープ積層体が、
対向端部と該端部間に延在する対向主面とを有し、該部材の部分と該基材の部分の隣接する表面の輪郭の形状に適合できる可撓性の、該テープ積層体に加えられた力によって伸長しない強固で、本質的に伸長不能な材料からなる支持層と、
対向端部とその該端部間に延在する第１および第２対向主面とを有する取付ストリップであって、該取付ストリップの該第１主面を画定する伸長剥離接着剤の第１層を備え、該取付ストリップの該第２主面が、該支持層の該主面の一方に堅固に取付けられ、該支持層の第１部分に沿った該取付ストリップの該第１主面の第１部分が、該基材に接着され、該支持層の第２部分に沿った該取付ストリップの該第１主面の第２部分が、該部材に接着され、該支持層は、該取付ストリップが該テープ積層体に加えられた力によって伸長しないようにし、該取付ストリップが、該端部の一方において手でつまむことができるタブ部を有し、該タブ部を引張ることによって該伸長剥離接着剤の第１層を伸長させ、該伸長剥離接着剤の第１層の接着係合を該基材および該部材から解放することが可能である、取付ストリップと、
を具備するテープ積層体。
【請求項２】
基材に沿って部材を支持または配置するように適合されるテープ積層体であって、
対向端部と該端部間に延在する対向主面とを有し、該部材の部分と該基材の部分の隣接する表面の輪郭の形状に適合できる可撓性の、該テープ積層体に加えられた力によって伸長しない強固で、本質的に伸長不能な材料からなる支持層と、
対向端部とその該端部間に延在する第１および第２対向主面とを有する取付ストリップであって、該取付ストリップの該第１主面を画定し該取付ストリップを該基材に接着するように適合された伸長剥離接着剤の第１層を備え、該取付ストリップの該第２主面が、該支持層の該主面の一方に堅固に取付けられ、該支持層は、該取付ストリップが該テープ積層体に加えられた力によって伸長しないようにし、該取付ストリップが、該端部の一方において手でつまむことができるタブ部を有し、それにより、該タブ部を引張ることによって該伸長剥離接着剤の第１層を伸長させ、該伸長剥離接着剤の第１層の、該取付ストリップの該第１主面が接着される基材との接着係合を解放することが可能である、取付ストリップと、
第１および第２剥離可能係合可能部分を備えるファスナを備え、該ファスナの該部分が前記支持層の対向端部に隣接して取付けられ、該支持層が、該ファスナ部分が係合されて該部材の周囲に延在するように適合される該テープ積層体によって支持または配置される部材の係合を容易にする手段と、
を具備するテープ積層体。
【請求項３】
前記支持層と前記取付ストリップとが、前記端部間を延在し細長縁部を有し、該支持層と該取付ストリップとが、それらの細長縁部が互いに対して平行であるように配置される請求項２記載のテープ積層体。
【請求項４】
前記支持層と前記取付ストリップとが、前記端部間を延在し対向細長縁部を有し、該支持層と該取付ストリップとが、それらの細長縁部が互いに対して直角であるように配置される請求項２記載のテープ積層体。
【請求項５】
前記取付ストリップが、該取付ストリップの前記第１主面を画定する伸長剥離感圧接着剤の層と、該伸長剥離感圧接着剤の層が接着される主面を有する伸長可能高分子材料の層と、を備える請求項２記載のテープ積層体。
【請求項６】
前記取付ストリップが、対向主面を有する伸長可能高分子材料の第１層を備え、該伸長可能高分子材料の第１層の一方の主面が、前記伸長剥離接着剤の第１層に付着されており、該取付ストリップが、更に、対向主面を有する高分子発泡体の層を有し、該発泡体の層の一方の主面が、前記高分子材料の第１層の該伸長剥離接着剤の第１層とは反対の面に付着されており、高分子材料の第２層が、対向主面を有し、該高分子材料の第２層の該主面の一方が、該発泡体の層の該高分子材料の第１層とは反対の該主面に接着され、伸長剥離接着剤の第２層が、該高分子材料の第２層を前記支持層に接着する請求項２記載のテープ積層体。
【請求項７】
前記伸長剥離接着剤の第１層が、前記取付ストリップの前記第１および第２主面の両方を画定し、該取付ストリップを前記支持層に接着する請求項２記載のテープ積層体。
【請求項８】
基材に沿って部材を支持または配置するように適合されるテープ積層体であって、
対向端部と該端部間に延在する対向主面とを有し、該部材の部分と該基材の部分の隣接する表面の輪郭の形状に適合できる可撓性の、該テープ積層体に加えられた力によって伸長しない強固で、本質的に伸長不能な材料からなる支持層と、
対向端部とその該端部間に延在する第１および第２対向主面とを有する取付ストリップであって、該取付ストリップの該第１主面を画定し該取付ストリップを該基材に接着するように適合された伸長剥離接着剤の第１層を備え、該取付ストリップの該第２主面が、該支持層の該主面の一方に堅固に取付けられ、該支持層は、該取付ストリップが該テープ積層体に加えられた力によって伸長しないようにし、該取付ストリップが、該端部の一方において手でつまむことができるタブ部を有し、それにより、該タブ部を引張ることによって該伸長剥離接着剤の第１層を伸長させ、該伸長剥離接着剤の第１層の、該取付ストリップの該第１主面が接着される基材との接着係合を解放することが可能である、取付ストリップと、
第１および第２剥離可能係合可能部分を備えたファスナを備え、該ファスナの該部分の一方が、前記取付ストリップの一端に取付られ該タブ部を提供し、該ファスナ部分の他方が、前記支持層の該タブ部とは反対側の端部において該支持層に取付けられ、該支持層と取付ストリップとが、該ファスナ部分が係合されて細長部材の回りに延在するように適合される該テープ積層体によって支持または配置される部材の係合を容易にする手段と、
を具備するテープ積層体。
【請求項９】
基材に沿って部材を支持または配置するように適合されるテープ積層体であって、
対向端部と該端部間に延在する対向主面とを有し、該部材の部分と該基材の部分の隣接する表面の輪郭の形状に適合できる可撓性の、該テープ積層体に加えられた力によって伸長しない強固で、本質的に伸長不能な材料からなる支持層と、
対向端部とその該端部間に延在する第１および第２対向主面とを有する取付ストリップであって、該取付ストリップの該第１主面を画定し該取付ストリップを該基材に接着するように適合された伸長剥離接着剤の第１層を備え、該取付ストリップの該第２主面が、該支持層の該主面の一方に堅固に取付けられ、該支持層は、該取付ストリップが該テープ積層体に加えられた力によって伸長しないようにし、該取付ストリップが、該端部の一方において手でつまむことができるタブ部を有し、それにより、該タブ部を引張ることによって該伸長剥離接着剤の第１層を伸長させ、該伸長剥離接着剤の第１層の、該取付ストリップの該第１主面が接着される基材との接着係合を解放することが可能である、取付ストリップと、
該テープ積層体によって支持または配置される部材の係合を容易にする手段と、
を具備し、
前記支持層と前記取付ストリップとが、前記端部間を延在し対向する細長縁部を有し、該支持層と該取付ストリップとが、それらの細長縁部が互いに平行であるように配置され、前記テープ積層体によって支持または配置される部材の係合を容易にする前記手段が、該取付ストリップが堅固に取付けられる該支持層の前記主面に亙って横切る方向にかつ隣接して該細長縁部に対して直角に延在する細長取付部材を備え、該細長取付部材が、該支持層の該細長縁部を越えて突出し、かつ、該支持層の該取付ストリップとは反対側に沿って物体を支持または配置するために該支持層の該取付ストリップとは反対側において解放可能に係合されるように適合された端部を有するテープ積層体。
【請求項１０】
前記細長取付部材が、撓曲可能な保形性の金属ワイヤからなるツイストタイである請求項９記載のテープ積層体。
【請求項１１】
前記細長取付部材がケーブルタイである請求項９記載のテープ積層体。
【請求項１２】
前記細長取付部材が、弾性的ゴムバンドである請求項９記載のテープ積層体。
【請求項１３】
基材に沿って部材を支持または配置するように適合されるテープ積層体であって、
対向端部と該端部間に延在する対向主面とを有し、該部材の部分と該基材の部分の隣接する表面の輪郭の形状に適合できる可撓性の、該テープ積層体に加えられた力によって伸長しない強固で、本質的に伸長不能な材料からなる支持層と、
対向端部とその該端部間に延在する第１および第２対向主面とを有する取付ストリップであって、該取付ストリップの該第１主面を画定し該取付ストリップを該基材に接着するように適合された伸長剥離接着剤の第１層を備え、該取付ストリップの該第２主面が、該支持層の該主面の一方に堅固に取付けられ、該支持層は、該取付ストリップが該テープ積層体に加えられた力によって伸長しないようにし、該取付ストリップが、該端部の一方において手でつまむことができるタブ部を有し、それにより、該タブ部を引張ることによって該伸長剥離接着剤の第１層を伸長させ、該伸長剥離接着剤の第１層の、該取付ストリップの該第１主面が接着される基材との接着係合を解放することが可能である、取付ストリップと、
該支持層の前記取付ストリップとは反対側において該支持層の前記端部の一方に隣接して取付けられる剛性フックを備え、該フックが、該支持層の該取付ストリップとは反対側に沿って物体を支持または配置するように適合される該テープ積層体によって支持または配置される部材の係合を容易にする手段と、
を具備するテープ積層体。
【請求項１４】
部材を運ぶために容易に取付可能かつ取外可能なハンドルを提供するように適合されたテープ積層体であって、
対向端部と該端部間に延在する対向主面とを有し、該部材の部分と該基材の部分の隣接する表面の輪郭の形状に適合できる可撓性の、該テープ積層体に加えられた力によって伸長しない強固で、本質的に伸長不能な材料からなる細長い支持層と、
各々が、対向端部とその該端部間に延在する第１および第２対向主面とを有する、２つの取付ストリップであって、該取付ストリップの各々が、該取付ストリップの該第１主面を画定し該取付ストリップを該部材に接着するように適合された伸長剥離接着剤の第１層を備え、該支持層の一部が該取付ストリップ間を少なくとも１インチすなわち２．５４センチメートルの長さ延在して、該取付ストリップの該第２主面が、該支持層の対向端部に隣接して該支持層の該主面の一方に堅固に取付けられ、該支持層は、該取付ストリップが該テープ積層体に加えられた力によって伸長しないようにし、該取付ストリップの各々が、該取付ストリップの該端部の一方において手でつまむことができるタブ部を有し、それによって、該タブ部を引張ることにより伸長剥離接着剤の該第１層を伸長させ、伸長剥離接着剤の該第１層の、該取付ストリップの該第１主面が接着される部材との接着係合を解放することを可能にするものである、２つの取付ストリップと、
を具備するテープ積層体。
【請求項１５】
前記取付ストリップ間に延在する前記支持層の前記一部が、少なくとも４インチすなわち１０センチメートル長である請求項１４記載のテープ積層体。
【発明の詳細な説明】
【０００１】
技術分野
本発明は、基材に沿って物体を配置または支持することが可能な構造体に関する。
【０００２】
背景技術
ポスター、飾り板または絵等の壁掛けを壁に付着させる等、２つの物体の対向する面を互いに付着させるために、高分子フィルムまたは発泡体の中心層を有し、その対向主面に接着剤の層が設けられた積層テープ構造体（例えば、ミネソタ州、Ｓｔ．ＰａｕｌのＭｉｎｎｅｓｏｔａ  Ｍｉｎｉｎｇ  ａｎｄ  Ｍａｎｕｆａｃｔｕｒｉｎｇ  Ｃｏｍｐａｎｙにより商品名「Ｗａｌｌｌｓａｖｅｒ  Ｒｅｍｏｖａｂｌｅ  ｐｏｓｔｅｒ  ｔａｐｅ」、「３Ｍ  Ａｕｔｏｍｏｔｉｖｅ  ａｔｔａｃｈｍｅｎｔ  Ｔａｐｅ」または「３Ｍ  Ａｃｒｙｌｉｃ  Ｆｏａｍ  Ｔａｐｅ」で販売されているテープ構造体）が使用されてきた。接着剤が高粘着性感圧接着剤（例えば、上述した「３Ｍ  Ａｃｒｙｌｉｃ  Ｆｏａｍ  Ｔａｐｅ」）であるかかるテープ構造体が、その目的のために使用される場合、後に物体を分離することがしばしば困難である。テープ構造体は、特に剛性の壁掛けと壁との間にある時、物体間の容易に手が届かない非常に狭い部分に配置される。一般に、物体間にナイフまたは同様の道具を突っ込んでテープ構造体をその外面間で半分に切断する試みがなされるか、あるいは、一方の物体（例えば、壁掛け）が他方の物体（例えば、壁）上でねじり取られるかまたはそこから引離されるが、その結果、物体の一方かまたは両方がしばしば損傷することとなる。
【０００３】
米国特許第４，３１０，１３７号（Ｆｒｙｅ）には、積層構造体が一方の物体を他方によって支持するように、狭い間隔で配置された物体の対向する面に接着されることが可能な感圧接着剤によって画定される対向主面を有する外部取付層と、外部取付層の一方において他方から離れる外側方向に向かう力を加えることによって分離することができる外部取付層間の薄葉紙等の非可溶性多孔材からなる分離可能層と、を有する積層構造体が述べられている。
【０００４】
物体を互いに付着させるために使用することができる取付ストリップであって、その後、先には接合されていた取付ストリップと物体との間の接着結合剤をきれいに分離するために、取付ストリップの端部にあるタブ部を引張ることにより伸長させることができる、少なくとも部分的に感圧接着剤によって画定される対向主面を有する取付ストリップが開発されている（例えば、米国特許第５，４０９，１８９号（Ｌｕｈｍａｎｎ）および同第５，５１６，５８１号（Ｋｒｅｃｋｅｌ等）と、米国特許出願第０８／３０８，９３７号（Ｂｒｉｅｓ等）と、を参照のこと）。かかる伸長剥離可能取付ストリップはうまく作用するが、２つ以上の物体を接合するかかる取付ストリップの端部のタブ部は、物体を後に分離したい人がつまむことの可能な場所に配置されなければならない。物体の一方は、そのタブ部を被覆する剥離可能部分を有するように特別に作成することができ（Ｈａｍｅｒｓｋｉ等による米国特許第５，５０７，４６４号参照）、あるいは、物体の一方が可撓性である場合、そのタブ部に手が届くことができるようにその可撓性物体を撓ませてよい。しかしながら、剛性物体が接合される多くの場合、物体間から伸長可能取付ストリップを取除くためにそのタブ部をつまむことができるように、接合された物体間からタブ部を突出させることが必要な場合がある。かかる突出するタブ部は、適用によっては審美的に好ましくない可能性がある。
【０００５】
１９９５年５月２４日付のドイツ特許出願公開第ＤＥ４３３９６０４号は、物体間から突出するテープ構造体の部分無しに、剛性物体を含む物体の対向面を互いに付着させるために使用することができ、後に、物体の一方を他方に対して移動させることにより物体の分離を可能にするテープ構造体を述べている。そのテープ構造体は、オフセットにおいて接着性でない対向する面に接着剤部分を有することにより、非接着性部分がオーバラップしないかまたはわずかにしかオーバラップせず、それらによってもたらされる接着剤接合を、非接着性部分を引離すことにより、特に接着面の方向に引離すことにより分離することができる、両面接着テープから作成される、分離可能な接着剤接合のための接着テープとして述べられている。
【０００６】
１９９６年１１月８日に出願された米国特許出願第０８／７４６，３５１号は、物体間から突出するテープ構造体の部分無しに、剛性物体を含む物体の対向面を互いに付着させる（例えば、飾り板または額に納められた絵を壁に付着させる）ために使用することができ、後に、物体のいずれにも損傷を与えることなくそれらを容易に分離することができる、テープ構造体を開示している。そのテープ構造体は、対向する主アンカー面を有する内部分離可能層を備える。アンカー面は、物体の対向する面に付着するように適合される（例えば、アンカー面上の感圧または他のタイプの接着剤の層によるか、あるいは、熱融解または後述するような伸長剥離可能取付ストリップの使用等の他の手段による）。内部分離可能層は、それが取付けられる物体の一方を、そのアンカー面が垂直に配置されるようにして他方から支持するように適合された、そのアンカー面に対して平行な方向に内部静的剪断強さを有し（例えば、好ましくは、感圧接着剤が接着されることが可能な垂直面と共になす最大静的剪断強さと略等しいかまたはそれを超える、そのアンカー面に対して平行な静的剪断強さを有し）、それら物体の表面に損傷を与えることなく接合した物体を引離すことによって分離可能層の内部分離を可能にするそのアンカー面に対して略垂直な方向に内部動的引張強さを有する。互いに取付けられた物体の一方または両方から容易にかつきれいに除去されるように適合されたその積層体の実施形態では、積層体は、１つまたは２つの伸長剥離可能取付ストリップを備え、それらは各々、物体に接着することができる感圧接着剤によって画定される外部面を有し、それが接着された物体へのその外部面の接着係合を解放するために、エンドタブ部を手で引張ることにより伸長可能である。
【０００７】
１９９８年１月２７日に出願された米国特許第０９／０１４，０５８号は、物体間から突出するテープ構造の部分無しに剛性物体を含む物体の対向する面を互いに付着させるため（例えば、飾り板または額に納められた絵を壁に付着するため）に使用することができ、後に、それらのいずれにも損傷を与えることなくそれら物体を容易に分離することができる構造体を述べている。その構造体は、対向主面と、第１および第２部分と、それら部分の各々におけるその主面の一方のアンカー部分と、を有する支持層を備えるテープ積層体である。支持層の第１および第２部分は、アンカー部分が支持層の対向側において略平行になるように配置される。テープ積層体が、アンカー部分に対して略平行な静的力に抗して一方の物体を他方の物体から支持することができるように、アンカー部分を剛性物体の対向する面に付着させる手段が設けられる。その付着させる手段は、内部および外部対向主面が端部間に延在し、内部主面が第１部分のアンカー部分に付着するようにその外部主面の少なくとも一部を画定する接着剤の第１層を有する、第１取付ストリップを備える。タブ部を含む手段が設けられており、そのタブ部を手で引張って第１取付ストリップの伸長を可能にすることより、接着剤の第１層の接着係合を、接着剤の第１層の外部主面が接着される物体から解放することができる。また、支持層の第１および第２部分の分離を可能にし、それによって、タブ部に手が届くことと、取付ストリップを手で伸長させることによって剛性物体の一方から接着剤の第１層の接着係合を解放することと、を可能にする剛性物体間のタブ部を用いて、付着させる手段によりアンカー部分が付着させられている剛性物体の十分な分離も可能とする、分離手段が設けられている。
【０００８】
そのテープ積層体の一実施形態では、アンカー部分は、支持層の同じ主面の両部分であり、支持層は、その第１部分と第２部分との間で折曲されることにより、アンカー部分を支持層の対向側に配置する。支持層における折り目により、第１および第２部分の互いから離れる枢動が可能になることによって、支持層の第１および第２部分の分離を可能にする手段が提供される。更に、支持層が裂くことができる材料から作成される場合、それを折り目に沿って裂くことにより、支持層の第１および第２部分の分離を可能にする代替手段を提供することができる。これにより、テープ積層体を使用して、例えば、絵を壁に吊着することができる。アンカー部分の一方は、折り目が絵の上縁に沿うように絵の裏面に取付けられる（すなわち、永久接着剤、メカニカルファスナ、伸長剥離取付ストリップまたは他の手段によって取付けられる）。他方の取付部分は、伸長剥離取付ストリップにより壁に接着される。絵がテープ積層体の全体に重なることにより、テープ積層体は、絵を壁に支持している間は見えない。壁から絵を取外したい時は、絵の底縁を壁から離れるように旋回させる。テープ積層体は、ヒンジとしての役割を果たし、テープ積層体の一部は、支持層の折り目を中心に分離する。そして、絵を取外す人は、取付ストリップ上のその時露出しているタブを掴持し、それを引伸ばすことによって絵とテープ積層体とを壁から取除く。この取付けおよび取外しは、壁にいかなる損傷または跡形も、または絵に損傷を与えることなく行われる。
【０００９】
テープ積層体の代替実施形態では、アンカー部分の各々が、支持層の対向主面の異なる方の一部であって、支持層は略平面であり、それによって支持層の対向側にアンカー部分を配置する。支持層は、部分間で手で裂けられることによって支持層の第１および第２部分を分離することができるようにする手段を提供するように適合される（例えば、ミシン目が入れられるかまたは刻み目が入れられる）。
【００１０】
発明の開示
本発明は、基材に沿って物体を支持または配置するように適合された有効で単純かつ多用途のテープ積層体である。
【００１１】
本発明によるテープ積層体は、強固で、形状適合可能な、本質的に伸長不能材料からなる支持層と、取付ストリップとを備え、取付ストリップは、その取付ストリップの第１主面を画定し取付ストリップを基材に接着するように適合された伸長剥離接着剤の第１層を備える。取付ストリップの第２主面は、支持層の主面の一方に堅固に取付けられており、取付ストリップの一端には、手で引張ることにより伸長剥離接着剤の層を伸長させそれによって伸長剥離接着剤の層の接着係合をそれが接着される基材から解放することが可能な、タブ部が設けられる。
【００１２】
形状適合可能支持層と取付ストリップとのみからなる一実施形態では、テープ積層体を使用して、テープ積層体を物体と壁との隣接する部分に適合させ接着することにより、物体を基材に沿って（例えば、垂直壁に沿って）支持することができる。支持層は、物体を支持し、接着剤が物体の重みによって伸長しないようにし、タブ部を手で引張ることによりそれに従って伸長剥離接着剤を伸長させることによって、物体および壁からテープ積層体を除去することができる。
【００１３】
他の実施形態では、テープ積層体は、更に、テープ積層体によって支持される物体の係合を容易にする手段を含む。
【００１４】
１つのかかる実施形態では、テープ積層体によって提供されるその手段は、更に、第１および第２剥離可能係合可能部分を備えたファスナを備え、そのファスナの部分は支持層の対向端部に取付けられる。形状適合可能な支持層を、１つまたは複数の細長部材（例えば、１本の電線または管あるいはそれらの束）の回りに巻着することができ、ファスナ部分を係合させることができ、支持層を伸長剥離接着剤の層によって基材（例えば壁または床）に接着することにより、テープ積層体がその基材に沿って細長部材を支持および／または配置することができるようにする。そして、テープ積層体をその基材から除去するためには、タブ部を手で引張ることによりそれに従って伸長剥離接着剤を伸長させるだけでよい。
【００１５】
他のかかる実施形態では、テープ積層体によって提供されるその手段は、更に、取付ストリップが堅固に取付けられる支持層の主面に亙っておよび隣接して横断する方向に延在する細長取付部材（例えば、ツイストタイ、ケーブルタイまたはゴムバンド）を有する。細長取付部材の部分は、支持層の対向縁部を越えて突出し、支持層の取付ストリップと反対側の面に係合されまたは係合されるように適合されることにより、支持層のその面に沿って物体が支持または配置される。
【００１６】
更に他のかかる実施形態では、テープ積層体によって提供されるその手段は、更に、支持層の取付ストリップと反対側の面の支持層の一端に取付けられた剛性フックを有する。フックは、支持層の取付ストリップと反対側の面に沿って物体を支持または配置するように適合される。
【００１７】
好適な実施態様の説明
ここで図面の図１、図２および図３を参照すると、概して参照番号１０で示される本発明によるテープ積層体の第１実施形態が示されている。
【００１８】
テープ積層体１０は、対向端部とそれら端部間に延在する対向主面とを有する強固な可撓性の形状適合可能な本質的に伸長不能材料（例えば、０．００４インチすなわち０．０１センチメートル厚さのポリエステルフィルム）からなる支持層１１と、同様に対向端部とその端部間に延在する第２対向主面とを有する取付ストリップ１２と、からなる。取付ストリップ１２は、支持層１１と略同じ長さであり、取付ストリップ１２と支持層１１との対向長手縁部が互いに平行であってかつ位置合せされるように、取付ストリップ１２の第２主面は支持層１１の主面の一方に堅固に取付けられている。取付ストリップ１２は、取付ストリップ１２の第１主面を画定する伸長剥離接着剤の第１層１４を備え、伸長剥離接着剤のその層１４は、テープ積層体１０を基材に接着するように適合されている。取付ストリップ１２の一端に設けられるタブ部１６を人が手でつまんで引張ることにより、それに従って伸長剥離接着剤の層１４が伸長し、それによって伸長剥離接着剤の第１層１４の、取付ストリップ１２の第１主面が接着される基材との接着係合を解放することができる。従来からの容易に剥離可能なリリースライナ１３が、テープ積層体１０を使用する前に伸長剥離接着剤の第１層１４によって画定される取付ストリップ１２の第１主面を被覆する。
【００１９】
テープ積層体１０は、図３に示すようにブロック１８を垂直壁１９の表面に沿って支持し配置する等、基材に沿って物体を支持および／または配置するために使用することができる。可撓性のテープ積層体１０は、ブロック１８の部分と壁１９の部分の隣接する表面の輪郭に適合され、伸長剥離接着剤の層１４の一部は、それら部分の各々に接着される。そして、支持層１１は、ブロック１８を壁１９から支持し、層１４の接着剤がブロック１８の重みによって伸長しないようにする。後に、タブ部１６を手で引張ることによりそれに従って伸長剥離接着剤の層１４を伸長させることによって、テープ積層体１０をブロック１８および壁１９から取外すことができる。
【００２０】
好ましくは、テープ積層体１０および後述する他のテープ積層体において使用される取付ストリップは、１９９４年９月２０日に出願された米国特許出願第０８／３０８，９３７号（Ｂｒｉｅｓ等）かまたは対応する国際出願公開ＷＯ９５／０６６９１号に記載されているものである。概して、図２に示すように、その取付ストリップ１２は、高分子発泡体（例えば、ポリオレフィン発泡体）の中心層２０と、発泡体の層２０の対向主面に沿って付着される伸長可能高分子フィルム（例えば、ポリエチレンまたはポリプロレインフィルムであり、リニア低密度およびリニア超低密度ポリエチレンフィルムが好ましい）の２つの層２１および２２と、支持層１１に隣接するフィルムの層２１を支持層１１に接着する伸長剥離接着剤の第２層２３と、中心層２０に対向するフィルムの層２２の表面に沿って接着される接着剤の第１層１４と、を備える。そして、タブ部１６を引張ることによって取付ストリップ１２がそれに従って伸長すると、接着剤の層１４および２３は、テープ積層体１０が取付ストリップ１２によって接着されている表面からおよび支持層１１からそれぞれ剥離する。使用される取付ストリップ１２が、米国特許出願第０８／３０８，９３７号かまたは対応する国際出願公開ＷＯ９５／０６６９１号において述べられているものである場合、それは好ましくは、約１／２または５／８インチ（１．２７または１．６センチメートル）幅であり、大抵の適用では、約３／４インチ（１．９センチメートル）幅以下でなければならない。それより広い取付ストリップ１２は、接着剤の層１４および２２の剥離をもたらすように伸長させることが非常に困難となる可能性があるためである。取付ストリップ１２の接着剤の層１４および２３は、隣接する基材（例えば、ブロックおよび壁１８の隣接する表面部分）において所望の大きさの保持力を提供するために必要な程度に長く作成することができる。
【００２１】
代替的に、テープ積層体１０と後述する他のテープ積層体とにおいて使用される取付ストリップは、伸長可能高分子フィルムの単層の対向主面に沿って接着される主接着面を画定する接着剤の２つの層からなることが可能であり、または、米国特許第５，４０９，１８９号（Ｌｕｈｍａｎｎ）において述べられている取付ストリップであることが可能であり、その取付ストリップは、２つの主接着面を画定する感圧接着剤の単層からなり、感圧接着剤の層をそれが間に接着された面から剥離するように伸長させることを可能にするそのタブ部に対し、非粘着性の面を提供するために、その突出するタブエンド部を被覆する高分子フィルムを有する。
【００２２】
テープ積層体１０と後述する他のテープ積層体の支持層は、強固であり、可撓性であり、形状適合可能であり、本質的に伸長不能でなければならない（すなわち、支持層は、破れる前に５０％未満伸長しなければならない）。支持層を作成することができる適当な材料には、ポリエステル（例えば、０．０００５〜０．０１インチすなわち０．００１３〜０．０２５ｃｍ厚さ）、マイラー（Ｍｙｌａｒ）、ケブラー（Ｋｅｖｌａｒ）、ＰＶＣ、ポリオレフィン等の高分子材料が含まれ、それら高分子材料は、任意に補強されてよい（例えば、ファブリック補強ビニル、またはフィラメントテープの裏材のように、ガラス繊維フィラメントで補強された高分子材料）。支持層を作成することができる他の適当な材料には、アルミ箔等の金属の薄層、紙、あるいは織布または不織布またはスクリム等が含まれる。
【００２３】
テープ積層体１０と後述する他のテープ積層体とに関して取付ストリップの第２主面が支持層の主面の一方に堅固に取付けられていると言うことは、取付ストリップを支持層から剥離するために少なくとも１００ｇ／インチまたは３９．４ｇ／センチメートルの剥離力を必要とする、それらを付着させる接着または他の形態がある（例えば、支持層を取付ストリップにコートすることができる）、ということを意味する。
【００２４】
ここで図面の図４および図５を参照すると、概して参照番号３０によって示される本発明によるテープ積層体の第２実施形態が示されている。
【００２５】
テープ積層体３０は、対向端部とそれら端部間に延在する対向主面とを有する強固な可撓性の適合可能な本質的に伸長不能材料（例えば、（例えば、０．００４インチすなわち０．０１センチメートル厚さのポリエステルフィルム）からなる支持層３１と、同様に対向端部とその端部間に延在する第１および第２対向主面とを有する取付ストリップ３２と、からなる。取付ストリップ３２は、支持層３１の長さの約１／３〜１／２である（例えば、支持層３１は、約３インチすなわち７．６センチメートルの長さを有することができ、取付ストリップ３２は、約６インチすなわち１５センチメートルの長さを有することができる）。示されているように、取付ストリップ３２と支持層３１とは、略同じ幅であり（代替的に、異なる幅であってもよい）、取付ストリップ３２と支持層３１との対向長手縁部が互いに平行であってかつ位置合せされるように、取付ストリップ３２の第２主面は支持層３１の主面の一方に堅固に取付けられている。取付ストリップ３２は、取付ストリップ３２の第１主面を画定する伸長剥離接着剤の第１層３４を備え、伸長剥離接着剤の層３４は、テープ積層体３０を基材に接着するように適合されている。取付ストリップ３２の一端に設けられるタブ部３６を人が手でつまんで引張ることにより、それに従って伸長剥離接着剤の第１層３４が伸長し、それによって伸長剥離接着剤の第１層３４の、取付ストリップ３２の第１主面が接着される基材との接着係合を解放することができる。従来からの容易に剥離可能なリリースライナ３３が、テープ積層体３０を使用する前に伸長剥離接着剤の第１層３４によって画定される取付ストリップ３２の第１主面を被覆する。
【００２６】
テープ積層体３０は、更に、テープ積層体３０によって支持される物体の係合を容易にする手段を有する。その手段は、第１および第２剥離可能係合可能部分３７および３８を備えるファスナによって提供され、ファスナの部分３７および３８は、支持層３１の対向端部に取付けられる。形状適合可能な支持層３１を、１つまたは複数の細長部材（例えば、図５に示すような１本の電線またはパイプ３５あるいはそれらの束）の回りに巻着することができ、ファスナ部分３７および３８を係合することができ、図５に示すようにテープ積層体３０が基材３９に沿って細長部材３５を支持および／または配置するように、支持層３１を、伸長剥離接着剤の層３４によって基材（例えば、図５に示すような床または壁３９）に接着することができる。そして、テープ積層体３０をその基材３９から取除くためには、タブ部３６を引張りそれに従って伸長剥離接着剤の層３４の接着剤を伸長させて剥離するだけでよい。取付ストリップ３２は、伸長する時、その基材３９と支持層３１との間から接着係合を解放するように、取付ストリップ１２について上述した構造のいずれを有することも可能である。そして、取付ストリップ３２は、ファスナの部分３７および３８が互いから分離されるまで、ファスナによって細長部材３５の回りに固定される。
【００２７】
ファスナは、フックアンドループファスナとして示されており、部分３７がループであり部分３８がフックである。代替的に、ファスナは、スナップファスナ、磁気ファスナまたは米国特許第４，２９０，１７４号で概略的に述べられているタイプのファスナ等、２つの剥離可能係合可能部分を有するいくつかの周知のタイプのファスナのいずれともすることができる。
【００２８】
図面の図６は、概して参照番号３０ａで示す本発明によるテープ積層体の第３実施形態を示し、そこでは、テープ積層体３０の構造要素と本質的に同じである構造要素は、接尾辞「ａ」を添えた同じ参照番号によって識別されている。テープ積層体３０ａは、支持層３１ａと、取付ストリップ３２ａと、テープ積層体３０に関して上述した同じ構造を有するファスナ部分３７ａおよび３８ａを含むファスナと、を有する。テープ積層体３０ａは、取付ストリップ３２ａと支持層３１ａとの対向する長手縁部が互いに直角に配置されるように、取付ストリップ３２ａの第２主面が支持層３１ａの主面の一方に堅固に取付けられている、ということにおいてのみ、テープ積層体３０と異なる。
【００２９】
ここで図面の図７および図８を参照すると、概して参照番号４０で示される本発明によるテープ積層体の第４実施形態が示されている。
【００３０】
テープ積層体４０は、対向端部とそれら端部間に延在する対向主面とを有する強固な可撓性の適合可能な本質的に伸長不能材料（例えば、０．００４インチすなわち０．０１センチメートル厚さのポリエステルフィルム）からなる支持層４１と、同様に対向端部とその端部間に延在する第１および第２対向主面とを有する取付ストリップ４２と、からなる。取付ストリップ４２は、支持層４１より僅かに長い。取付ストリップ４２と支持層４１とは、略同じ幅であり、取付ストリップ４２と支持層４１との対向する長手縁部が互いに略平行であってかつ位置合せされるように、取付ストリップ４２の第２主面は支持層４１の主面の一方に堅固に取付けられている。取付ストリップ４２は、取付ストリップ４２の第１主面を画定する伸長剥離接着剤の第１層４４を備え、その伸長剥離接着剤の層４４は、テープ積層体４０を基材に接着するように適合されている。取付ストリップ４２は、取付ストリップ１２に対して上述した構造のいずれを有することも可能である。従来からの容易に剥離可能なリリースライナ４３が、テープ積層体４０を使用する前に伸長剥離接着剤の第１層４４によって画定される取付ストリップ４２の第１主面を被覆する。
【００３１】
テープ積層体４０は、更に、テープ積層体４０によって支持される物体の係合を容易にする手段を含む。その手段は、第１および第２剥離可能係合可能部分４７および４８を備えるファスナによって提供され、それは、フックアンドファスナとして示されており、部分４７がループであり部分４８がフックである。代替的に、ファスナは、テープ積層体３０について上述したタイプのファスナのいずれともすることができる。ファスナのループ部４７は、支持層４１の一端に取付けられ、ファスナのフック部４８は、ファスナのループ部４７に対向する支持層４１の端部を越えて突出する取付ストリップ４２のタブ部４６に取付けられる。ファスナのフック部４８は、取付ストリップ４２のタブ部４６と結合され、手でつままれることにより、タブ／フック部４７、４８を引張ることによりそれに従って伸長剥離接着剤の層４４を伸長し、それによって、伸長剥離接着剤の第１層４４の接着係合を、取付ストリップ４２の第１主面が接着される基材から解放することが可能である。形状適合可能な支持層４１を、１つまたは複数の細長部材（例えば、図８に示すような１本の電線または管４５あるいはそれらの束）の回りに巻着することができ、ファスナ部分４７および４８を係合することができ、図８に示すように、テープ積層体４０がその基材４９に沿って細長部材４５を支持および／または配置するように、支持層４１を、伸長剥離接着剤の層４４によって基材（例えば、図８に示すような床または壁４９）に接着することができる。そして、テープ積層体４１をその基材４９から取除くためには、取付ストリップ４２の結合されたタブおよびファスナ部分４７、４８を手で引張ることにより、ファスナ部分４７および４８を分離しそれに続いて伸長剥離接着剤の層４４を伸長させるだけでよい。
【００３２】
ここで図面の図９および図１０を参照すると、概して参照番号５０で示される本発明によるテープ積層体の第５実施形態が示されている。
【００３３】
テープ積層体５０は、対向端部とそれら端部間に延在する対向主面とを有する強固な可撓性の形状適合可能な本質的に伸長不能材料（例えば、０．００４インチまたは０．０１ｃｍ厚さのポリエステルフィルム）からなる支持層５１と、同様に対向端部とその端部間に延在する第１および第２対向主面とを有する取付ストリップ５２と、からなる。取付ストリップ５２は、支持層５１と略同じ長さであり、取付ストリップ５２と支持層５１とは、略同じ幅であり、取付ストリップ５２と支持層５１との対向する長手縁部が互いに平行であってかつ位置合せされるように、取付ストリップ５２の第２主面は支持層５１の主面の一方に堅固に取付けられている。取付ストリップ５２の第２主面は、支持層５１の主面の一方に堅固に取付けられている。取付ストリップ５２は、取付ストリップ５２の第１主面を画定する伸長剥離接着剤の第１層５４を備え、その伸長剥離接着剤の第１層５４は、テープ積層体５０を基材に接着するように適合されている。取付ストリップ５２の一端に設けられるタブ部５６を人が手でつまんで引張ることにより、それに従って伸長剥離接着剤の第１層５４が伸長し、それによって伸長剥離接着剤の層５４の、取付ストリップ５２の第１主面が接着される基材との接着接合を解放することができる。取付ストリップ５２は、取付ストリップ１２に対して上述した構造のうちのいずれをも有することができる。従来からの容易に剥離可能なリリースライナ５３が、テープ積層体５０を使用する前に伸長剥離接着剤の第１層５４によって画定される取付ストリップ５２の第１主面を被覆する。
【００３４】
テープ積層体５０は、更に、テープ積層体５０によって支持される物体の係合を容易にする手段を有する。その手段は、撓曲可能な保形性の金属ワイヤを含むツイストタイとして示される細長結束手段または取付部材５８によって提供されるが、それは、代替的に、従来からのケーブルタイ、１本の紐またはコード、あるいは弾性ゴムバンド等の異なる細長取付部材とすることが可能である。取付部材５８は、その端部間の中間周辺において伸長剥離接着剤の第１層５４によって画定される支持層５１の主面に亙って横切る方向に延在する。細長取付部材５８の端部は、支持層５１の対向縁部を越えて突出する。取付部材５８のそれら端部は、支持層５１の取付ストリップ５２とは反対側において係合されることにより、支持層５１のその側に沿って物体を支持または配置するように適合される。かかる係合を、示されているように取付部材５８がツイストタイである場合は端部を撚り合せることにより、または取付部材がケーブルタイである場合は、その長さに沿って歯を有する端部を、それら歯の１つに係合するその対向端部における部分において通路を通して係合させることにより、または取付部材として使用される紐またはコードの端部を結び合せることにより、または弾性取付部材の一部を物体の回りで伸長させることにより、もたらすことができる。
【００３５】
そして、テープ積層体５０をその基材から取除くためには、タブ部５６を手で引張りそれに従って伸長剥離接着剤の層５４を伸長させるだけでよく、それによって取付部材５８はまだ物体の周囲に係合されたままである。
【００３６】
ここで図面の図１１および図１２を参照すると、概して参照番号６０で示される本発明によるテープ積層体の第６実施形態が示されている。
【００３７】
テープ積層体６０は、対向端部とその端部間に延在する対向主面とを有する強固な可撓性の形状適合可能な本質的に伸長不能材料（例えば、織布）の支持層６１と、同様に対向端部とその端部間に延在する第１および第２対向主面とを有する取付ストリップ６２と、からなる。取付ストリップ６２と支持層６１とは、略同じ幅であり、取付ストリップ６２と支持層６１との対向する長手縁部が互いに略平行であってかつ位置合せされるように、取付ストリップ６２の第２主面は支持層６１の主面の一方に堅固に取付けられている。取付ストリップ６２は、取付ストリップ６２の第１主面を画定する伸長剥離接着剤の第１層６４を備え、その伸長剥離接着剤の層６４は、テープ積層体６０を基材に接着するように適合されている。取付ストリップ６２の一端に設けられるタブ部６６と人が手でつまんで引張ることにより、それに従って伸長剥離接着剤の層６４が伸長し、それによって伸長剥離接着剤の第１層６４の、取付ストリップ６２の第１主面が接着される基材との接着係合を解放することができる。取付ストリップ６２は、取付ストリップ１２に対して上述した構造のうちのいずれを有することも可能である。従来からの容易に剥離可能なリリースライナ６３が、テープ積層体６０を使用する前に伸長剥離接着剤の第１層６４によって画定される取付ストリップ６２の第１主面を被覆する。
【００３８】
テープ積層体６０は、更に、テープ積層体６０によって支持される物体の係合を容易にする手段を有する。その手段は、支持層６１の取付ストリップ６２とは反対側において支持層６１の一端部に取付けられかつそこから突出する剛性屈曲シートメタルのフック６８である。支持層６１のその端部は折返され、フック６８の一端はリベット６９によってそこに取付けられている。フック６８は、支持層６１の取付ストリップ６２とは反対側に物体を支持または配置するように適合されている。そして、テープ積層体６１をその基材から取除くためには、タブ部６６を引張りそれに従って伸長剥離接着剤の層６４を伸長させるだけでよい。
【００３９】
図１３および図１４は、部材７２（例えば、パッケージ、ガラス、金属またはプラスチック等のシート状の材料、塗料等の材料の缶、もしくは飲料の容器）を運ぶために容易に取付可能かつ取外し可能なハンドル７０を提供する、本発明によるテープ積層体の適応を示す。テープ積層体またはハンドル７０は、対向端部７４とその端部７４間に延在する対向主面とを有する強固な可撓性の形状適合可能な本質的に伸長不能材料（例えば、ポリエステルフィルムか、またはフィラメントテープの裏材等の繊維ガラスフィラメント補強高分子材料）からなる細長い支持層７３と、２つの取付ストリップ７６と、からなる。各取付ストリップ７６は、取付ストリップ７６を部材７２に接着するように適合される取付ストリップ７６の第１主面７９を画定する伸長剥離接着剤の第１層７８を備える。各取付ストリップ７６の第２主面は、支持層７３の一部が、間隔が空けられた取付ストリップ７６間を少なくとも４インチの長さ延在するように、支持層７３の異なる対向端部７４に隣接して支持層７３の主面の一方に堅固に取付けられている。取付ストリップ７６の各々は、その端部の一方に、手でつまむことが可能なタブ部８０を有しており、それによって、そのタブ部８０を引張ることにより伸長剥離接着剤の第１層７８を伸長させ、伸長剥離接着剤の第１層７８の、取付ストリップの第１主面が接着される部材７２との接着係合を解放することが可能である。取付ストリップ７６は、取付ストリップ１２に対して上述した構造のうちのいずれを有することも可能である。
【００４０】
まず取付ストリップ７６の第１主面７９上に接着されるリリースライナ８２（図示せず）を剥離し、その後、人の手が支持することができる取付ストリップの間の支持層７３の一部が部材７２またはパッケージ（図１４参照）の表面から突出した状態になるように間隔が空けられた、部材７２またはパッケージの部分に対して、取付ストリップ７６のそれら第１主面７９を、取付ストリップ７６のそれら第１主面７９を押圧することにより、店で購入されるパッケージ等の部材７２に、ハンドルを容易に取付けることができる。後にハンドル７０を取除きたい場合（例えば、部材７２またはパッケージが顧客によって保存されるかまたは後にそれが購入された店に戻され再び販売される場合）、タブ部８０を引張ることによって接着剤の層７８を伸長させることにより、ハンドル７０を容易に取外すことができ、それによって、接着剤の層７８の除去によって部材７２またはパッケージが損傷することなく、それが部材７２またはパッケージから解放される。異なるサイズおよび形状の部材７２に適応するために、異なる長さのハンドル７０を提供することができ、それは、間隔が空けられた取付ストリップ７６間に延在する支持層７３の部分に対して異なる長さを提供することができる。例えば、ハンドル７０が人の手で握持されることが意図されている場合、約４インチすなわち約１０センチメートル以上の長さの、取付ストリップ７６間に延在する支持層７３の長さが有用であり、例えば、ハンドルが１つの指かまたはフックによってつままれることが意図されている場合、取付ストリップ７６間に延在する支持層７３のより短い長さ（すなわち、約１インチすなわち約２．５４センチメートル程度に短い長さ）も有用であり得る。
【００４１】
ここでは、本発明を、いくつかの実施形態とそのいくつかのあり得る変更とに関して説明した。当業者には、本発明の範囲から逸脱することなく説明した実施形態において多くの変更を行うことができるということが明らかとなろう。従って、本発明の範囲は、この明細書で説明した構造および方法に限定されるべきではなく、特許請求の範囲とその等価物との用語によって説明される構造および方法によってのみ限定されるべきである。
【図面の簡単な説明】
【図１】  本発明によるテープ積層体の第１実施形態の斜視図である。
【図２】  図１のテープ積層体の拡大部分端面図である。
【図３】  垂直壁に沿って物体を支持し配置する図１のテープ積層体の斜視図である。
【図４】  本発明によるテープ積層体の第２実施形態の側面図である。
【図５】  垂直壁に沿って物体を支持する図４のテープ積層体の側面図である。
【図６】  本発明によるテープ積層体の第３実施形態の正面図である。
【図７】  本発明によるテープ積層体の第４実施形態の側面図である。
【図８】  垂直壁に沿って物体を支持する図７のテープ積層体の側面図である。
【図９】  本発明によるテープ積層体の第５実施形態の斜視図である。
【図１０】  図９のテープ積層体実施形態の側面図である。
【図１１】  本発明によるテープ積層体の第６実施形態の斜視図である。
【図１２】  図１１のテープ積層体実施形態の側面図である。
【図１３】  本発明によるテープ積層体の適応の斜視図である。
【図１４】  図１３のテープ積層体適応の側面図である。
【図１】
0004885394.tif 000002
【図２】
0004885394.tif 000003
【図３】
0004885394.tif 000004
【図４】
0004885394.tif 000005
【図５】
0004885394.tif 000006
【図６】
0004885394.tif 000007
【図７】
0004885394.tif 000008
【図８】
0004885394.tif 000009
【図９】
0004885394.tif 000010
【図１０】
0004885394.tif 000011
【図１１】
0004885394.tif 000012
【図１２】
0004885394.tif 000013
【図１３】
0004885394.tif 000014
【図１４】
0004885394.tif 000015